(57)【特許請求の範囲】
【請求項１】
画像表示装置及びコンピュータに接続可能な媒体であって、
警告出力しないことを指示する警告出力制御信号を受信する警告出力制御信号受信部と、
前記画像表示装置に対する装着の有無を検出する装着検出部と、
前記画像表示装置に対して装着されていないことを前記装着検出部が検出した場合に、前記警告出力制御信号の受信状態に応じて前記警告出力を行う警告出力部と、を含み、
前記警告出力部は、
前記警告出力制御信号を受信している間は前記警告出力を行わず、前記警告出力制御信号を受信していない場合に前記警告出力を行うことを特徴とする媒体。
【請求項２】
請求項１において、
前記警告出力部は、
直前の前記警告出力制御信号の受信から所定期間内でない場合に前記警告出力を行うことを特徴とする媒体。
【請求項３】
請求項１又は２において、
前記警告出力制御信号受信部は、
所定の汎用バス規格の所定ドライバに対する未定義コマンドを受信した場合に前記警告出力制御信号を受信したと擬制することを特徴とする媒体。
【請求項４】
請求項１乃至３のいずれかにおいて、
バッテリー電源と、
所与の規格のバスインターフェースで画像表示装置と接続可能な接続部とを含み、前記接続部を介して前記画像表示装置と接続されることにより、前記バッテリー電源の充電が可能に構成されていることを特徴とする媒体。
【請求項５】
請求項１乃至４のいずれかにおいて、
前記媒体は、ＵＳＢメモリまたはＵＳＢ無線ＬＡＮアダプタまたはメモリカードであり
、特定の画像表示装置との接続を識別可能に構成されていることを特徴とする媒体。
【請求項６】
請求項１乃至５のいずれかに記載の媒体と、画像表示装置に対し画像を供給する前記コンピュータを含む画像表示システムであって、
前記コンピュータは、
画像表示装置との通信状態を検出する通信状態検出部と、
前記通信状態の検出結果に基づき、前記媒体の警告出力を制御する警告出力制御信号を送信する警告出力制御部と、を含み
前記警告出力制御部は、
前記通信状態検出部が所定の通信状態を検出した場合には、前記媒体に対して、警告出力を行わないことを指示する警告出力制御信号を送信することを特徴とする画像表示システム。
【請求項７】
画像供給システムから供給された画像信号に基づき画像を表示する画像表示装置であって、
前記画像供給システムから供給された画像信号を受信する通信部と、
画像表示装置と前記画像供給システムとの通信状態を検出する通信状態検出部と、
前記画像表示装置に接続可能な媒体の装着の有無を検出する装着検出部と、
前記媒体が装着されていないことを前記装着検出部が検出し、前記通信状態検出部が所定の通信状態を検出した場合は、警告出力しないことを指示する警告出力制御信号を出力する警告出力制御部と、
前記警告出力制御信号を受信している間は警告出力を行わず、前記警告出力制御信号がとぎれたら警告出力を行う警告出力部と、を含むことを特徴とする画像表示装置。
【請求項８】
請求項７において
前記警告出力制御部は、
前記装着検出部が前記媒体が装着されていないことを検出し、前記通信状態検出部が前記画像供給システムとの通信の終了を検出した場合、前記警告出力部に警告出力を行なわせることを特徴とする画像表示装置。
【発明の詳細な説明】
【技術分野】
【０００１】
本発明は、プログラム、画像表示装置及び媒体に関する。
【背景技術】
【０００２】
画像表示装置に接続可能な媒体であるＵＳＢメモリやＵＳＢ無線ＬＡＮアダプタ等をノート型パソコン等に接続して、ＰＣから供給される画像信号を画像表示装置で投射することが行われている。
【特許文献１】特開２００７−７９７６１号公報
【発明の開示】
【発明が解決しようとする課題】
【０００３】
ところが、ＵＳＢメモリやＵＳＢ無線ＬＡＮアダプタ等の画像表示装置に接続可能な媒体をノート型パソコンに差し込んだまま持ち帰ってしまったり、使用後に紛失してしまうことがあった。
【０００４】
本発明は以上のような問題点に鑑みてなされたものであり、その目的は画像表示装置に接続可能な媒体の取り忘れや紛失を防止することが可能なプログラム、画像表示装置及び媒体を提供することにある。
【課題を解決するための手段】
【０００５】
（１）本発明は、画像表示装置に対し画像を供給する画像供給システムを制御するプログラムであって、画像表示装置と画像供給システムとの通信状態を検出する通信状態検出部と、通信状態の検出結果に基づき、画像表示装置に接続可能な媒体の警告出力を制御する警告出力制御信号を送信する警告出力制御部と、してコンピュータを機能させることを特徴とする。
【０００６】
ここで画像供給システムとは、例えばパーソナルコンピュータ等である。画像表示装置と接続可能な媒体は、画像供給システムが画像表示装置に画像を供給する際に画像供給システムに装着される媒体（ＵＳＢメモリまたはＵＳＢ無線ＬＡＮアダプタまたはメモリカード等）である。
【０００７】
本発明によれば、画像表示装置と画像供給システムとの通信状態に応じて、画像供給システムは、媒体に対して警告出力を制御する警告出力制御止信号を送信する。
【０００８】
警告出力制御止信号は例えば、警告出力を行うことを指示する信号でもよいし、警告出力を出力しないことを指示する信号でもよい。
【０００９】
前記媒体は、前記警告出力禁止信号を受信する警告出力制御信号受信部と、警告出力制御信号に基づき警告出力を行う警告出力部とを含むようにしてもよい。ここで警告出力とは、例えば警告音でもよいし、警告用のＬＥＤ等の点灯でも良い。
【００１０】
ここで、媒体が画像表示装置に装着されている場合には警告音をならさない。媒体が画像表示装置に装着されていない場合には、画像表示装置と画像供給システムとの通信状態が所定の状態でない場合（例えば通信が終了している状態や通信不良または通信不能な状態）に、媒体から警告音を出力させることができる。
【００１１】
従って、媒体を画像供給システムに装着した場合の取り忘れや紛失を防止することができる。
【００１２】
（２）本発明のプログラムは、前記警告出力制御部が、通信状態の検出結果に基づき通信状態が所定の状態であると判断した場合には、画像表示装置に接続可能な媒体に対して、警告出力制御信号として警告出力を行わないことを指示する警告出力禁止信号を所定の間隔で送信することを特徴とする。
【００１３】
本発明によれば、画像表示装置と画像供給システムとの通信状態が所定の状態である場合（例えば通信が良好な状態）の時に、画像供給システムは、媒体に対して警告出力を行わないことを指示する警告出力禁止信号を所定の間隔で送信する。
【００１４】
前記媒体の前記警告出力部は、前記警告出力禁止信号の受信後の所定期間は警告出力を行わないように制御するようにしてもよい。
【００１５】
媒体が画像表示装置に装着されている場合には警告音をならさない。装着されていない場合には警告出力禁止信号受信後所定期間は警告出力を行わず、所定期間経過後画像表示装置と画像供給システムとの通信状態が所定の状態でない場合（例えば通信が終了している状態や通信不良または通信不能な状態）には、媒体から警告音を出力させることができる。
【００１６】
本発明は、通信状態が良好な場合（電源が切られたり省電力モードになっていない場合）は警告出力禁止信号を出力する構成なので、画像供給システムの電源が切られたり、省電力モードになった場合には、警告出力禁止信号が出力されなくなり、結果として媒体に警告出力を行わせることができる。すなわち、画像供給システムにおける警告出力制御はバッテリー駆動等の必要なく実現可能である。
【００１７】
（３）本発明のプログラムは、前記通信状態検出部が、画像表示装置との通信の終了を検出した場合、前記警告出力制御部が、前記警告出力をおこなうことを指示する処理または警告出力禁止信号の出力を中止する処理を行うことを特徴とする。
【００１８】
本発明によれば、画像供給システムによる画像の供給が終了した場合の媒体の取り忘れや紛失を防止することができる
（４）本発明のプログラムは、前記警告出力制御部が、所定の汎用バス規格の所定ドライバに対して、当該所定のドライバの未定義コマンドを前記警告出力制御信号として送信することを特徴とする。
【００１９】
媒体の警告出力制御信号受信部は、所定の汎用バス規格（ＵＳＢ等）の所定ドライバに対する未定義コマンドを受信した場合に前記警告出力禁止信号を受信したと擬制してもよい。
【００２０】
媒体がＵＳＢメモリである場合には、ＵＳＢ規格のマスストレージクラス（ファイルを扱うクラス）クラスドライバに対する未定議コマンドを警告出力制御信号として送信するようにしてもよい。また、媒体がＵＳＢＬＡＮケーブルである場合には、無線ＬＡＮの無線ＬＡＮクラス未定義コマンドを警告出力制御信号として送信するようにしてもよい。このように、通常のアプリケーションが使わない信号を警告出力制御信号として送信することにより、ＵＳＢ規格のインターフェースを用いて警告出力制御信号を送信することができる。
【００２１】
（５）本発明は、画像供給システムから供給された画像信号に基づき画像を表示する画像表示装置であって、画像供給システムから供給された画像信号を受信する通信部と、画像表示装置と画像供給システムとの通信状態を検出する通信状態検出部と、画像表示装置に接続可能な媒体の装着の有無を検出する装着検出部と、通信状態及び装着状態の検出結果に基づき、警告出力を制御する警告出力制御部と、前記警告出力制御部の制御に基づき警告出力を行う警告出力部と、を含むことを特徴とする。
【００２２】
本発明によれば、画像表示装置と画像供給システムとの通信状態及び画像表示装置と媒体の接続状態に応じて、画像表示装置は警告出力を行う。ここで、警告出力は警告音を出力する構成でもよいし、警告画像（警告メッセージ等が表示された画像）を出力する構成でもよい。
【００２３】
画像表示装置と画像供給システムとの通信状態が所定の状態である場合とは、例えば通信が良好な状態であり、所定の状態でない場合とは例えば通信が終了している状態や通信不良または通信不能な状態である。
【００２４】
本発明によれば、媒体が画像表示装置に装着されている場合には警告音をならさない。媒体が画像表示装置に装着されていない場合であって、画像表示装置と画像供給システムの通信状態が所定の状態でない場合には、画像表示装置から警告音等を出力させることができる。従って、媒体を画像供給システムに装着した場合の媒体の取り忘れや紛失を防止することができる。
【００２５】
なお、前記通信状態検出部が所定の通信状態を検出した場合は、前記警告出力制御部が、警告出力部に警告出力信号を所定時間出力しないようにしてもよい。このようにすると通信状態が良好な場合には所定期間警告出力信号が出力されないので、警告出力部から警告出力が行われることはない。
【００２６】
また、前記通信状態検出部が所定の通信状態を検出した場合は、前記警告出力制御部が、警告出力部に警告出力禁止信号を所定の間隔で出力するようにしてもよい。警告出力部が警告出力禁止信号がとぎれたら警告出力をおこなう構成であれば、プロジェクタの電源が切れたり、省電力モードになって警告出力制御部が動作しなくなった場合でも警告出力部さえ動作可能な状態であれば（例えば警告出力部がバッテリー駆動されている場合や、補助電源で動作している場合）に警告出力を行わせることができる。
【００２７】
（６）本発明は、前記警告出力制御部が、前記検出部が前記媒体が装着されていないことを検出し、前記通信状態検出部が前記画像供給システムとの通信の終了を検出した場合、前記警告出力部に警告出力を行わせることを特徴とする。
【００２８】
本発明は、前記警告出力制御部が、画像表示装置に媒体が装着されておらず、通信状態が所定の状態でない判断した場合には、警告出力部に警告出力を行わせてもよい。また、画像表示装置のメイン電源が切られたとしても、通信が中断されるため警告出力を行わせることができる。なお、画像表示装置の警告音出力部はバッテリー駆動であってもよく、コンセントが挿入されている状態で補助電源が稼動してもよい。
【００２９】
（７）本発明は、画像表示装置及び画像供給システムに接続可能な媒体であって、前記警告出力制御信号を受信する警告出力制御信号受信部と、画像表示装置との装着の有無を検出する装着検出部と、警告出力制御信号及び装着の有無の検出結果に基づき警告音出力を行う警告出力部と、を含むことを特徴とする。
【００３０】
警告出力とは、例えば警告音でもよいし、警告用のＬＥＤ等の点灯でも良い。
【００３１】
装着検出部は、電気信号を使用しない構成（物理的、又は磁気的な接触）により画像表示装置との装着の有無を検出するようにしてもよい。このようにすると電源が切れている状態でも画像表示装置との接触を検出することができる。
【００３２】
（８）本発明は、前記警告出力制御信号受信部が、所定の汎用バス規格の所定ドライバに対する未定義コマンドを受信した場合に前記警告出力制御信号を受信したと擬制することを特徴とする。
【００３３】
（９）本発明は、バッテリー電源と、所与の規格のバスインターフェースで画像表示装置と接続可能な接続部とを含み、前記接続部を介して画像表示装置と接続されることにより、前記バッテリー電源の充電が可能に構成されていることを特徴とする。
【００３４】
（１０）本発明は、媒体としてＵＳＢメモリまたはＵＳＢ無線ＬＡＮアダプタまたはメモリカードであり、特定の画像表示装置との接続を識別可能に構成されていることを特徴とする。
【００３５】
画像表示装置専用の付属品やオプション品としてＵＳＢメモリやＵＳＢ無線ＬＡＮ、メモリカードを提供するケースがある。このような場合、ユーザーが付属品やオプション品（固有品）を紛失もしくは持ち帰ることがある。そこで、媒体は特定の画像表示装置との接続を識別できるように構成されている。このような構成にすることで、ユーザーが保有している媒体（一般品）と画像表示装置専用の固有品とを区別することができ、固有品のみに警報を発することができる。なお、識別の方法は、一般品と固有品の識別ができればよく、その方法は問わない。
【発明を実施するための最良の形態】
【００３６】
以下、本発明を画像表示装置に適用した場合を例に取り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
１．第１の実施の形態
第１の実施の形態は、画像表示装置に接続可能な媒体が警告出力を行う構成について説明する。
【００３７】
図１は、本実施の形態の画像表示システムの構成とその機能を説明するための図である。
【００３８】
本実施の形態の画像表示システム１０は、ノート型パーソナルコンピュータ等の画像供給システム２０と画像表示装置（例えばプロジェクタ）３０と画像表示装置に接続可能な媒体（ＵＳＢメモリまたはＵＳＢ無線ＬＡＮアダプタ等）４０を含む。
【００３９】
画像供給システム２０と画像表示装置３０は、それぞれ媒体４０を挿入するためのコネクタ３２，２２を有している。なお画像表示装置３０のコネクタは、電気的な信号のやり取りをするものに限られず、単に物理的又は磁気的に接続の有無を確認できるものであればよい。
【００４０】
普段は媒体４０を画像表示装置のコネクタ３２に挿入しておき、使用する際に画像表示装置３０のコネクタ３２から抜いて、接続したい画像供給システム２０のコネクタ２２に挿入して使用する。
【００４１】
ここで、例えば媒体４０がＵＳＢ無線ＬＡＮアダプタである場合には、画像供給システム２０は画像表示装置３０に対しＵＳＢ無線ＬＡＮアダプタを介して無線で画像信号を送信する。そして、画像表示装置３０は内蔵する無線通信部で画像信号４２を受信し、受信した画像信号に基づき画像３４を投射する処理を行う。
【００４２】
また例えば、媒体４０がＵＳＢメモリである場合には、画像供給システム２０はＵＳＢメモリから画像表示装置３０に対する通信設定や通信用プログラム等を受け取り、受け取った通信設定や通信用プログラム等の設定にしたがい、画像供給システムが有する無線通信部が、無線で画像信号を送信する。そして、画像表示装置３０は内蔵する無線通信部で画像信号４２を受信し、受信した画像信号に基づき画像３４を投射する処理を行う。
【００４３】
第１の実施の形態では、画像表示装置３０のコネクタ３２から媒体４０を抜くと、媒体４０から、例えば「ピッピッ」という警告音が鳴るようにしてもよい。そして媒体４０を画像供給システム２０のコネクタ２２に差し込み、画像供給システム２０と画像表示装置３０との通信が確立されたら、警告音が消えるようにしてもよい。
【００４４】
そして、プレゼンテーションが終了して画像供給システム２０と画像表示装置３０の通信の接続が解除されると、再び媒体４０から警告音が鳴り始め、媒体４０を画像表示装置３０のコネクタ３２に装着すると警告音が消えるようにしてもよい。
【００４５】
このようにすると、画像供給システム２０が実際に媒体を使用しているとき以外（例えば使用後に画像表示装置３０のコネクタ３２に装着されるまでの間等）に媒体４０が警告音をならすので、媒体４０が画像供給システム２０に装着されたまま誤って持ち帰られることを防止することができる。
【００４６】
図２は第１の実施の形態の画像供給システム及び媒体の機能ブロック図である。
【００４７】
第１の実施の形態の画像供給システム２０は、少なくとも処理部１１０を含めばよく、それ以外のブロックについては、任意の構成要素とすることができる。
【００４８】
ここで処理部１１０は、パーソナルコンピュータの制御、各機能ブロックへの命令の指示、画像処理、音処理などの各種の処理を行うものであり、その機能は各種プロセッサ（ＣＰＵ、ＤＳＰ等）、あるいはＡＳＩＣ（ゲートアレイ等）などのハードウェアや、所与のプログラムにより実現できる。
【００４９】
処理部１１０は、画像表示装置等の外部表示装置に表示させる画像を外部表示装置に供給するための処理を行う画像供給処理部１２０を含む。
【００５０】
また処理部１１０は、画像表示装置３０と画像供給システム２０との通信状態を検出する通信状態検出部１３０を含む。通信状態検出部１３０は、画像表示装置との通信の終了を検出するようにしてもよい。
【００５１】
また処理部１１０は、通信状態の検出結果に基づき、画像表示装置３０に接続可能な媒体の警告出力を制御する警告出力制御信号を送信する警告出力制御１４０を含む。警告出力制御１４０は、通信状態の検出結果に基づき通信状態が所定の状態であると判断した場合には、画像表示装置３０に接続可能な媒体４０に対して、警告出力を行わないことを指示する警告出力禁止信号を警告出力制御信号として所定の間隔で送信するようにしてもよい。また警告出力制御部１４０は、画像表示装置３０との通信の終了が検出された場合には、前記警告出力を行なうことを指示する処理または警告出力禁止信号の出力を中止する処理を行うようにしてもよい。また警告出力制御部１４０は、所定の汎用バス規格の所定ドライバに対して、当該所定のドライバの未定義コマンドを前記警告出力制御信号として送信するようにしてもよい。
【００５２】
操作部１６０は、ユーザーの操作入力を受け付け、処理部１１０に対して操作データを通知する処理を行うものであり、その機能は、キーボードやマウス等のハードウェアにより実現できる。
【００５３】
記憶部１７０は、処理部１１０などのワーク領域となるもので、メインメモリ、フレームバッファとして機能し、ＲＡＭなどのハードウェアにより実現できる。
【００５４】
表示部１９０は、本実施形態により生成された画像を出力するものであり、その機能は、ＣＲＴ、ＬＣＤなどのハードウェアにより実現できる。
【００５５】
音出力部１９２は、本実施形態により生成された音を出力するものであり、その機能は、スピーカなどのハードウェアにより実現できる。
【００５６】
通信部１９６は、ネットワークを介してデータの送受信を行うものであり、その機能は、各種プロセッサ、あるいは通信用ＡＳＩＣなどのハードウェアや、所与のプログラムにより実現できる。
【００５７】
情報記憶媒体１８０（コンピュータにより読み取り可能な媒体）は、プログラムやデータなどを格納するものであり、その機能は、光ディスク（ＣＤ、ＤＶＤ）、ハードディスク、メモリカード、メモリーカセット、磁気ディスク、或いはメモリ（ＲＯＭ）、ＳＤカード、ＵＳＢメモリなどにより実現できる。処理部１１０は、情報記憶媒体１８０に格納されるプログラム（データ）に基づいて本実施形態の種々の処理を行う。即ち、情報記憶媒体１８０には、本実施形態の各部としてコンピュータを機能させるためのプログラム（各部の処理をコンピュータに実行させるためのプログラム）が記憶される。
【００５８】
本実施の形態のプログラムを、情報記憶媒体１８０にいずれかのタイミングでインストールする（例えば画像供給システムに画像表示装置との接続情報等をインストールする際にあわせてインストールするようにしてもよい。）して、画像供給システム２０のコンピュータ（ＣＰＵ）で実行させることにより、通信状態検出部１３０、警告出力制御部１４０の機能を実現することができる。
【００５９】
特に本実施形態の画像供給システム２０では、通信部１９６が無線ＬＡＮ機能を備えていないので、画像表示装置に接続可能な媒体４０である無線通信装置（例えばＵＳＢ無線ＬＡＮアダプタ）２００を、画像供給システム１００のコネクタ２２に差し込むことにより、画像表示装置３０と無線通信を行い、供給画像信号を、画像表示装置３０に対し送信する。
【００６０】
無線通信装置２００は、例えばＵＳＢ無線ＬＡＮアダプタでもよく、IEEE 規格に準拠した無線ＬＡＮ機能を有しており、画像表示装置３０とパケット通信（データ通信）を行うことができる。
【００６１】
無線通信装置２００は、画像供給システム２０が出力する警告出力制御信号を、コネクタを介して受信する警告出力制御信号受信部２１０を含む。警告出力制御信号受信部２１０は、所定の汎用バス規格の所定ドライバに対する未定義コマンドを受信した場合に前記警告出力禁止信号を受信したと擬制してもよい。
【００６２】
無線通信装置２００は、通信状態及び装着状態の検出結果に基づき、警告出力を行う警告音出力部２２０を含む。警告音出力部２２０は、警告音を生成出力するものであり、その機能は、アンプ、スピーカなどのハードウェアにより実現できる。
【００６３】
無線通信装置２００は、内部バッテリー２４０を含む。内部バッテリー２４０は、ＵＳＢ規格のバスインターフェースで画像表示装置３０と接続可能な図示しないＵＳＢ接続部を介して画像表示装置３０と接続されることにより、充電が可能に構成されていてもよい。
【００６４】
警告音出力部２２０は、媒体４０が画像表示装置３０に装着されておらず、所定期間内に未定義コマンド（警告出力禁止信号）を受信しなかった場合には、媒体４０の内部バッテリー２４０で警告音を鳴らす。
【００６５】
無線通信装置２００は、画像表示装置３０との装着の有無を検出する装着検出部２３０を含む。装着検出部２３０は、画像表示装置３０との装着の有無を電気的（電気信号）に検出してもよいし、物理的（スイッチ等）に検出してもよいし、磁気的に検出してもよい。例えば、画像表示装置３０の一部に磁石を埋め込んでおき、媒体４０が接続端子に差し込まれたら、媒体内のマグネットスイッチ（リードスイッチ）がその磁石に反応して、内部バッテリー２４０の電源を切るようにしてもよい。
【００６６】
図３は第１の実施の形態の画像供給システムの処理の流れを示すフローチャートである。
【００６７】
第１の実施の形態の画像供給システム１０は、ステップＳ１０〜Ｓ３０の処理を所定のサイクル（例えば１秒毎）で繰り返し実行する。
【００６８】
まず、画像表示装置３０と画像供給システム２０との通信状態を検出する（ステップＳ１０）。
【００６９】
通信状態は所定の状態である場合には（ステップＳ２０）、所定の汎用バス規格（ＵＳＢ等）の所定ドライバに対して、警告出力を行わないことを指示する警告出力禁止信号を、当該所定のドライバの未定義コマンドを送信する（ステップＳ３０）。ここで通信状態が所定の状態である場合とは、例えば通信状態が良好な場合であり、所定の状態でない場合とは、例えば無線ＬＡＮが切れた状態でもよいし、無線ＬＡＮの接続確率が所定の割合以下になった状態でもよいし、アプリケーションがつながらない状態でもよい。
【００７０】
図４は第１の実施の形態の媒体４０の処理の流れを示すフローチャートである。
【００７１】
第１の実施の形態の媒体４０は、ステップＳ１１０〜Ｓ１６０の処理を所定のサイクル（例えば１秒毎）で繰り返し実行する。
【００７２】
画像表示装置３０との装着の有無を検出する（ステップＳ１１０）。画像表示装置３０との装着の有無は電気的（電気信号）に検出してもよいし、物理的（スイッチ等）に検出してもよいし、磁気的に検出してもよい。
【００７３】
装着無しの場合には、以下の処理を行う（ステップＳ１２０）。まず所定の汎用バス規格（ＵＳＢ等）の所定ドライバに対する未定義コマンド（警告出力禁止信号）を受信したか否か判断する（ステップＳ１３０）。
【００７４】
未定義コマンド（警告出力禁止信号）を受信した場合には、直前の未定義コマンド受信から所定期間内であるか否か判断する（ステップＳ１４０）。直前の未定義コマンド受信から所定期間内であれば警告出力を行わないように制御する（ステップＳ１５０）。
【００７５】
また未定義コマンド（警告出力禁止信号）を受信していない場合または直前の未定義コマンド受信から所定期間内でなければ、媒体の内部バッテリー２４０で警告音を鳴らす（ステップＳ１６０）。
【００７６】
上記実施の形態では、通信状態が良好である場合（通信状態が所定の状態である）は、画像供給システム２０は警告出力禁止信号を出力し、媒体４０は警告出力禁止信号を受信している間は警告音を鳴らさない。これに対し、通信状態が良好でない場合は、画像供給システム２０は警告音出力信号を出力し、媒体４０は警告出力信号を受信すると警告音を鳴らす構成も考えられる。しかし、この構成を取ると画像供給システム２０の電源が切られたり、省電力モードになった場合に警告出力信号を出す構成が必要となる（例えば、バッテリー電源を使用して警告出力信号を出力する）のに対し、上記実施の形態では、通信状態が良好な場合（電源が切られたり省電力モードになっていない場合）に、警告出力禁止信号を出力するので、特にバッテリー駆動等の必要なく実現可能である。
２．第２の実施の形態
第２の実施の形態は、画像表示装置３０が警告出力を行う構成について説明する。
【００７７】
第２の実施の形態では、画像表示装置３０のコネクタ３２から媒体４０を抜くと、画像表示装置３０から、例えば「ピッピッ」という警告音が鳴るようにしてもよい。そして、媒体４０を画像供給システム２０のコネクタ２２に差し込み、画像供給システム２０と画像表示装置３０と接続し、通信が確立されたら、警告音が消えるようにしてもよい。
【００７８】
そして、画像供給システム２０と画像表示装置３０の通信の接続が解除されると、再び画像表示装置３０から警告音が鳴り始め、媒体４０を画像表示装置３０のコネクタ３２に装着すると警告音が消えるようにしてもよい。
【００７９】
このようにすると、画像供給システム２０が実際に媒体４０を使用しているとき以外（例えば、使用後に画像表示装置３０のコネクタ３２に装着されるまでの間等）に画像表示装置３０が警告音をならすので、媒体４０が画像供給システム２０に装着されたまま誤って持ち帰られることを防止することができる。
【００８０】
図５は第２の実施の形態の画像表示装置の機能ブロック図である。
【００８１】
本実施の形態の画像表示装置３０は制御部３３０を含む。制御部３３０は、画像表示装置３０の各種処理を行うもので、ＣＰＵやＤＳＰ等のハードウェアと投射型表示装置の各種処理を実行するためのプログラム等によって実現してもよい。
【００８２】
制御部３３０は、画像表示装置３０の各種処理を行うもので、ＣＰＵやＤＳＰ等のハードウェアと投射型表示装置の各種処理を実行するためのプログラム等によって実現してもよい。
【００８３】
制御部３３０は、画像表示装置３０と画像供給システム１０との通信状態を検出する通信状態検出部３３２を含む。
【００８４】
制御部３３０は、通信状態及び装着状態の検出結果に基づき、画像表示装置に接続可能な媒体４０が装着されておらず、通信状態が所定の状態でないと判断した場合には、警告出力を行うように制御する警告出力制御部３３４を含む。
【００８５】
制御部３３０は、表示部３４４に表示する画像を制御する表示制御部３３６を含む。
【００８６】
本実施の形態の画像表示装置３０は、画像供給システム１０から供給された画像信号を受信する通信部３９０を含む。
【００８７】
本実施の形態の画像表示装置３０は、装着検出部３７０を含む。装着検出部３７０は、媒体４０との装着の有無を電気的（電気信号）に検出してもよいし、物理的（スイッチ等）に検出してもよいし、磁気的手に検出してもよい。例えば、画像表示装置の一部に磁石を埋め込んでおき、媒体４０が接続端子に差し込まれたら、媒体４０内のマグネットスイッチ（リードスイッチ）がその磁石に反応して、警告音の出力を止めるようにしてもよい。
【００８８】
本実施の形態の画像表示装置３０は、警告音出力部３２０を含む。警告音出力部３２０は、警告音を生成出力するものであり、その機能は、アンプ、スピーカなどのハードウェアにより実現できる。
【００８９】
警告出力制御部３３４は、画像表示装置に接続可能な媒体４０が装着されておらず、通信状態が所定の状態であると判断した場合には、警告音出力を行わないことを指示する警告出力禁止信号を所定の間隔で出力し、警告出力部３２０は、警告出力禁止信号の受信後の所定期間は警告出力を行わないように制御するようにしてもよい。
【００９０】
本実施の形態の画像表示装置３０は、投射光学系３４０を含む。投射光学系３４０は、ランプユニット等の光源３４２、表示部３４４と、投写レンズ３４６とを備えており、画像表示装置３０の外部のスクリーン面４００等に画像の投射表示を行うものである。
【００９１】
光源３４２は、表示部３４４に光を照射するものであって、バラスト部３６４で生成された光源駆動電力により点灯動作を行う。表示部３４４は、マトリクス状に形成された図示しない複数の画素を備えており、光源３４２から射出した光を、表示制御部３３６から入力される画像信号３３８に基づいて画素毎に変調することによって画像信号に応じた光学像を形成する。
【００９２】
表示部３４４によって形成された光学像は、投写レンズ３４６によってスクリーン面４００等に拡大投写される。
【００９３】
本実施の形態の画像表示装置３０は、電源部３６０を含む。電源部３６０は、ＡＣ１００Ｖ等の商用電源を入力して画像表示装置３０の各種動作に必要な直流の電源電圧を生成する主電源部３６２と、投射光学系３４０の光源を駆動するバラスト部３６４と、補助電源部３３６を含む。
【００９４】
主電源部３６２は、商用電源を全波整流によって直流に変換する整流回路と、高調波電流を抑制するとともに力率を改善する力率改善（ＰＦＣ：Power Factor Correction）回路と、力率改善回路の出力をトランス（変圧器）ａにより所定の電圧に変換するＤＣ−ＤＣ変換回路等とを有しており、商用電源から、制御部３３０を動作させる動作電力等も生成するようにしてもよい。
【００９５】
バラスト部３６４は、トランスの１次側（商用電源側）に備えられた力率改善回路に接続されており、力率改善回路からの出力電圧を降圧させる降圧チョッパと、降圧チョッパによって降圧された直流電流を交流矩形波電流（光源駆動電力）に変換するインバータと、光源ランプの電極間の絶縁破壊を行って、光源ランプの始動を促すためのイグナイタ等とを備えている。
【００９６】
補助電源部３３６は、コンセントが挿入されていれば本体に電気（弱電）を供給する。従って主電源部がＯＦＦ状態の場合には、警告音出力部３２０は、補助電源部から電気３６８の供給を受けて警告音を鳴らすようにしてもよい。
【００９７】
図６は第２の実施の形態の画像表示装置の処理の流れを示すフローチャートである。
【００９８】
まず、画像表示装置３０は、媒体４０の装着の有無を検出する（ステップＳ２１０）。媒体４０との装着の有無は電気的（電気信号）に検出してもよいし、物理的（スイッチ等）に検出してもよいし、磁気的に検出してもよい。
【００９９】
装着無しの場合には以下の処理を行う（ステップＳ２２０）。まず、画像表示装置３０と画像供給システム２０との通信状態を検出する（ステップＳ２３０）。
【０１００】
通信状態が所定の状態でない場合には（ステップＳ２４０）、所定期間は警告出力を行わないように制御する（ステップＳ２５０）。ここで、通信状態は所定の状態である場合とは、例えば無線ＬＡＮが切れた状態でもよいし、無線ＬＡＮの接続確立が所定の割合以下になった状態でもよいし、アプリケーションがつながらない状態でもよい。通信状態が所定の状態でないとは、上記状態にない場合、すなわち通信状態が良好な場合である。
【０１０１】
このようにすると、通信状態が良好であることが検出されてから所定期間は警告出力が行われないように制御される。ここで画像表示装置の警告音出力部は、媒体４０が装着されている場合は警告音をならさないが、装着されていない場合には、ステップＳ２５０の処理によって所定期間は警告出力を行わないように制御される期間をのぞけば、原則として警告音を出力するように構成されている。従って、画像表示装置３０の主電源が切れた場合や省電力モードになった場合でも、補助電源によって警告音が出力される。画像表示装置は、コンセントが挿されていれば、本体には補助電源により電気（弱電）は供給されている。
【０１０２】
上記実施の形態では、媒体４０や画像表示装置３０から警告音を出力する場合を例にとり説明したがこれに限られない。例えば、画像表示装置画面に、媒体４０の取り忘れを警告するメッセージを出力するようにしてもよい。また、警告音とメッセージを両方出力するようにしてもよい。
【０１０３】
例えば、画像供給システム２０と画像表示装置３０の無線接続が終了したときに、画像表示装置３０の画面と画像表示装置３０のブザーで警告が示され、媒体４０が画像表示装置３０のコネクタ３２に戻されたときに、警告が消えるように構成してもよい。また、画像表示装置３０の電源を接続中に切ってしまっても警告が出力されるように、警告音は、画像表示装置本体の電源で動作するようにし、媒体４０の装着検出は、コネクタ３２のマグネットと、マグネットスイッチで行なうようにしてもよい。
【０１０４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【０１０５】
上記実施の形態では媒体４０がＵＳＢ無線ＬＡＮアダプタである場合を例にとり説明したがこれに限られない。例えば、媒体はＵＳＢメモリやメモリカードでもよい。この場合ＵＳＢメモリ内の、警告音出力用の充電池は、ＵＳＢメモリが画像表示装置３０が、画像供給システム２０（パーソナルコンピュータ等）に差し込まれた際に、ＵＳＢ経由で充電されるようにしてもよい。
【０１０６】
また、画像表示装置３０は、液晶パネルを用いた画像表示装置には限定されず、例えば、ＤＭＤ(Digital Micromirror Device)を用いた画像表示装置等であってもよい。なお、ＤＭＤは、米国テキサス・インスツルメンツ社の商標である。
【図面の簡単な説明】
【０１０７】
【図１】本実施の形態の画像表示システムの構成とその機能を説明するための図。
【図２】第１の実施の形態の画像供給システム及び媒体の機能ブロック図。
【図３】第１の実施の形態の画像供給システムの処理の流れを示すフローチャート。
【図４】第１の実施の形態の媒体の処理の流れを示すフローチャート。
【図５】第２の実施の形態の画像表示装置の機能ブロック図。
【図６】第２の実施の形態の画像表示装置の処理の流れを示すフローチャートである。
【符号の説明】
【０１０８】
１０  画像表示システム、２０  画像供給システム（ＰＣ）、２２  コネクタ、３０  画像表示装置、３２  コネクタ、４０  媒体、１１０  処理部、１２０  画像供給処理部、１３０  通信状態検出部、１４０  警告出力制御部、２００  無線通信装置（媒体）、２１０  警告出力制御信号受信部、２２０  警告音出力部、２３０  装置検出部、２４０  内部バッテリー、３２０  警告音出力部、３３０  制御部、３３２    通信状態検出部、３３４  警告出力制御部、３３６  表示制御部、３４０  投射光学系、３４２  光源、３４４  表示部、３４６  投射レンズ、３６０  電源部、３６２  主電源部、３６４  バラスト部、３６６  補助電源部、３７０  装着検出部、３９０  通信部、４００  スクリーン
【図１】
0005187487.tif 000002
【図２】
0005187487.tif 000003
【図３】
0005187487.tif 000004
【図４】
0005187487.tif 000005
【図５】
0005187487.tif 000006
【図６】
0005187487.tif 000007